(57)【要約】２つの伝送媒体の間の通信を中継し、一方の伝送媒体からの通信が切断状態となった場合に他方の伝送媒体への通信を切断状態とする切断機能を有する中継機器を複数備え、複数の前記中継機器の一部又は全部は、管理装置からの要求に基づき前記切断機能の動作を解除する切断解除機能を有するネットワークを管理する管理装置であって、１以上の中継機器を直列に接続した通信経路が切断状態となった場合に、それぞれの切断解除機能の動作を順次制御して、通信経路上の中継機器から取得した通信状態を用いて中継機器又は伝送媒体の障害の可能性を診断及び通知することを特徴とする管理装置。
2003055145.tif 000002
【特許請求の範囲】
【請求項１】
２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置であって、
複数の前記中継機器の一部又は全部は、前記管理装置からの要求に基づき前記切断機能の動作を解除する切断解除機能を有し、
前記管理装置は、
前記中継機器のそれぞれが、前記切断解除機能を有するかどうかを示す情報を含む中継機器情報を格納する中継機器情報格納部と、
１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、
前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、
前記診断部が障害の可能性を有すると診断した前記中継機器又は前記伝送媒体が、障害を有する可能性があることを通知する通知部と
を有することを特徴とする管理装置。
【請求項２】
前記診断部は、
前記切断解除機能を有する前記通信経路上の前記中継機器に対して、当該中継機器の通信状態を取得する通信状態取得メッセージを送信し、
当該中継機器による前記通信状態取得メッセージの返信メッセージを用いて前記通信経路上の前記中継機器又は前記伝送媒体の障害の可能性を診断することを特徴とする請求項１記載の管理装置。
【請求項３】
前記通信経路には、前記切断解除機能を有する第１の前記中継機器及び第２の前記中継機器を含む前記中継機器が接続されており、
前記診断部は、
前記第１の中継機器に対して前記通信状態取得メッセージを送信して、前記第１の中継機器の通信状態を取得し、
前記管理装置と前記第１の中継機器との間の通信に障害が無い場合に、前記第１中継装置の前記切断機能の動作を解除させ、前記第１の中継機器を介して前記第２の中継機器に前記通信状態取得メッセージを送信し、前記通信経路において前記第１の中継機器と前記第２の中継機器との間に位置する前記中継機器又は前記伝送媒体の障害の可能性を、当該通信状態取得メッセージの返信メッセージを用いて診断することを特徴とする請求項２記載の管理装置。
【請求項４】
前記管理装置は、前記ネットワークが備える複数の前記中継機器のそれぞれにおいて発生した障害の履歴を示す情報である障害ログを格納する障害記録部を更に有し、
前記診断部は、切断状態となった前記通信経路上にあり、障害無と診断していない前記中継機器の障害の可能性の大小を、前記ネットワークにおいて切断状態となった前記通信経路と類似する構成を持つ類似通信経路の前記障害ログを用いて推測することを特徴とする請求項１記載の管理装置。
【請求項５】
前記診断部は、切断状態となった前記通信経路上にあり、障害無と診断していない前記中継機器の障害の可能性の大小を、前記ネットワークにおいて切断状態となった前記通信経路と類似する構成を持つ類似通信経路上の、対応する位置に接続された前記中継機器の前記障害ログを用いて推測することを特徴とする請求項４記載の管理装置。
【請求項６】
前記通知部は、前記ネットワークが備える前記中継機器のそれぞれを、前記管理装置の表示装置上に、障害の可能性が大きいか、障害の可能性が小さいか、又は障害が無いかを識別可能に図示することを特徴とする請求項４記載の管理装置。
【請求項７】
前記管理装置は、前記ネットワークが備える複数の前記中継装置のそれぞれにおいて発生した障害の履歴を示す情報である前記障害ログを格納する障害記録部を更に有し、
前記診断部は、切断状態となった前記通信経路上にあり、障害無と診断していない前記伝送媒体の障害の可能性の大小を、前記ネットワークにおいて切断状態となった前記通信経路と類似する構成を持つ類似通信経路の障害ログを用いて推測することを特徴とする請求項１記載の管理装置。
【請求項８】
前記診断部は、切断状態となった前記通信経路上にあり、障害無と診断していない前記伝送媒体の障害の可能性の大小を、前記ネットワークにおいて切断状態となった前記通信経路と類似する構成を持つ類似通信経路上の、対応する位置に接続された前記伝送媒体の前記障害ログを用いて推測することを特徴とする請求項７記載の管理装置。
【請求項９】
前記通知部は、前記ネットワークが備える前記伝送媒体のそれぞれを、前記管理装置の表示装置上に、障害の可能性が大きいか、障害の可能性が小さいか、又は障害が無いかを識別可能に図示することを特徴とする請求項７記載の管理装置。
【請求項１０】
２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のネットワーク管理方法であって、
複数の前記中継機器の一部又は全部は、前記管理装置からの要求に基づき前記切断機能の動作を解除する切断解除機能を有し、
前記管理装置は、
前記中継機器のそれぞれが、前記切断解除機能を有するかどうかを示す情報を含む中継機器情報を格納し、
１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断し、
前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断し、
障害の可能性を有すると診断した前記中継機器又は前記伝送媒体が、障害を有する可能性があることを通知する
ことを特徴とするネットワーク管理方法。
【請求項１１】
２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のプログラムであって、
複数の前記中継機器の一部又は全部は、前記管理装置からの要求に基づき前記切断機能の動作を解除する切断解除機能を有し、
当該プログラムは、前記管理装置を、
前記中継機器のそれぞれが、前記切断解除機能を有するかどうかを示す情報を含む中継機器情報を格納する中継機器情報格納部と、
１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、
前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、
前記診断部が障害の可能性を有すると診断した前記中継機器又は前記伝送媒体が、障害を有する可能性があることを通知する通知部と
して動作させることを特徴とするプログラム。
【請求項１２】
２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のプログラムを記録した記録媒体であって、
複数の前記中継機器の一部又は全部は、前記管理装置からの要求に基づき前記切断機能の動作を解除する切断解除機能を有し、
前記プログラムは、前記管理装置を、
前記中継機器のそれぞれが、前記切断解除機能を有するかどうかを示す情報を含む中継機器情報を格納する中継機器情報格納部と、
１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、
前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、
前記診断部が障害の可能性を有すると診断した前記中継機器又は前記伝送媒体が、障害を有する可能性があることを通知する通知部と
して動作させることを特徴とする記録媒体。
【発明の詳細な説明】
技術分野
本発明は、管理装置、ネットワーク管理方法、プログラム、及び記録媒体に関する。
背景技術
近年の家庭におけるインターネット利用の普及に伴い、音楽、画像データ、及び動画像データ等の大量のデータをインターネットを介して配信する高速回線の実現が期待されている。この要求を受けて、各家庭に光ファイバを配線するＦＴＴＨ（Ｆｉｂｅｒ  Ｔｏ  Ｔｈｅ  Ｈｏｍｅ）等の普及化が進められている。
オフィス又は家庭においては、光ファイバをルータ等の中継装置や端末等に接続するために、光ファイバをＵＴＰ（Ｕｎｓｈｉｅｌｄｅｄ  Ｔｗｉｓｔｅｄ  Ｐａｉｒ）ケーブルに媒体変換するメディアコンバータが多く用いられる。また、集合オフィスや集合住宅内では、配線を延長するためリピータが用いられることも多い。この様に、集合オフィスや集合住宅内では、メディアコンバータやリピータ等を含む多数の中継装置からなるネットワークが構築される。
この様なネットワークは、複数の会社や家庭によって共用されるため、管理作業の手間を省き、低い管理コストで管理可能であることが望ましい。
そこで本発明は、この様な課題を解決することを目的とする。
発明の開示
このような目的を達成するために、本発明の第１の形態によれば、２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置であって、複数の前記中継機器の一部又は全部は、前記管理装置からの要求に基づき前記切断機能の動作を解除する切断解除機能を有し、前記管理装置は、前記中継機器のそれぞれが、前記切断解除機能を有するかどうかを示す情報を含む中継機器情報を格納する中継機器情報格納部と、１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、前記診断部が障害の可能性を有すると診断した前記中継機器又は前記伝送媒体が、障害を有する可能性があることを通知する通知部とを有することを特徴とする管理装置を提供する。
前記診断部は、前記切断解除機能を有する前記通信経路上の前記中継機器に対して、当該中継機器の通信状態を取得する通信状態取得メッセージを送信し、当該中継機器による前記通信状態取得メッセージの返信メッセージを用いて前記通信経路上の前記中継機器又は前記伝送媒体の障害の可能性を診断してもよい。
また、前記通信経路には、前記切断解除機能を有する第１の前記中継機器及び第２の前記中継機器を含む前記中継機器が接続されており、前記診断部は、前記第１の中継機器に対して前記通信状態取得メッセージを送信して、前記第１の中継機器の通信状態を取得し、前記管理装置と前記第１の中継機器との間の通信に障害が無い場合に、前記第１中継装置の前記切断機能の動作を解除させ、前記第１の中継機器を介して前記第２の中継機器に前記通信状態取得メッセージを送信し、前記通信経路において前記第１の中継機器と前記第２の中継機器との間に位置する前記中継機器又は前記伝送媒体の障害の可能性を、当該通信状態取得メッセージの返信メッセージを用いて診断してもよい。
また、前記管理装置は、前記ネットワークが備える複数の前記中継機器のそれぞれにおいて発生した障害の履歴を示す情報である障害ログを格納する障害記録部を更に有し、前記診断部は、切断状態となった前記通信経路上にあり、障害無と診断していない前記中継機器の障害の可能性の大小を、前記ネットワークにおいて切断状態となった前記通信経路と類似する構成を持つ類似通信経路の前記障害ログを用いて推測してもよい。
また、前記診断部は、切断状態となった前記通信経路上にあり、障害無と診断していない前記中継機器の障害の可能性の大小を、前記ネットワークにおいて切断状態となった前記通信経路と類似する構成を持つ類似通信経路上の、対応する位置に接続された前記中継機器の前記障害ログを用いて推測してもよい。
また、前記通知部は、前記ネットワークが備える前記中継機器のそれぞれを、前記管理装置の表示装置上に、障害の可能性が大きいか、障害の可能性が小さいか、又は障害が無いかを識別可能に図示してもよい。
また、前記管理装置は、前記ネットワークが備える複数の前記中継装置のそれぞれにおいて発生した障害の履歴を示す情報である障害ログを格納する障害記録部を更に有し、前記診断部は、切断状態となった前記通信経路上にあり、障害無と診断していない前記伝送媒体の障害の可能性の大小を、前記ネットワークにおいて切断状態となった前記通信経路と類似する構成を持つ類似通信経路の前記障害ログを用いて推測してもよい。
また、前記診断部は、切断状態となった前記通信経路上にあり、障害無と診断していない前記伝送媒体の障害の可能性の大小を、前記ネットワークにおいて切断状態となった前記通信経路と類似する構成を持つ類似通信経路上の、対応する位置に接続された前記伝送媒体の前記障害ログを用いて推測してもよい。
また、前記通知部は、前記ネットワークが備える前記伝送媒体のそれぞれを、前記管理装置の表示装置上に、障害の可能性が大きいか、障害の可能性が小さいか、又は障害が無いかを識別可能に図示してもよい。
また、本発明の第２の形態によれば、２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のネットワーク管理方法であって、複数の前記中継機器の一部又は全部は、前記管理装置からの要求に基づき前記切断機能の動作を解除する切断解除機能を有し、前記管理装置は、前記中継機器のそれぞれが、前記切断解除機能を有するかどうかを示す情報を含む中継機器情報を格納し、１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断し、前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断し、障害の可能性を有すると診断した前記中継機器又は前記伝送媒体が、障害を有する可能性があることを通知することを特徴とするネットワーク管理方法を提供する。
また、本発明の第３の形態によれば、２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のプログラムであって、複数の前記中継機器の一部又は全部は、前記管理装置からの要求に基づき前記切断機能の動作を解除する切断解除機能を有し、当該プログラムは、前記管理装置を、前記中継機器のそれぞれが、前記切断解除機能を有するかどうかを示す情報を含む中継機器情報を格納する中継機器情報格納部と、１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、前記診断部が障害の可能性を有すると診断した前記中継機器又は前記伝送媒体が、障害を有する可能性があることを通知する通知部として動作させることを特徴とするプログラムを提供する。
また、本発明の第４の形態によれば、２つの伝送媒体の間の通信を中継し、一方の伝送媒体からの通信が切断状態となった場合に他方の伝送媒体への通信を切断状態とする切断機能を有する中継機器を複数備えるネットワークを管理する管理装置用のプログラムを記録した記録媒体であって、複数の前記中継機器の一部又は全部は、前記管理装置からの要求に基づき前記切断機能の動作を解除する切断解除機能を有し、前記プログラムは、前記管理装置を、前記中継機器のそれぞれが、前記切断解除機能を有するかどうかを示す情報を含む中継機器情報を格納する中継機器情報格納部と、１以上の前記中継機器を直列に接続した通信経路が切断状態となった場合に、切断状態となった前記通信経路上の前記中継機器のそれぞれが前記切断解除機能を有するかどうかを、前記中継機器情報に基づき判断する判断部と、前記切断解除機能を有する前記通信経路上の前記中継機器のそれぞれの前記切断解除機能の動作を順次制御して、前記通信経路上の前記中継機器の通信状態を取得し、前記通信状態を用いて前記通信経路上の前記中継機器又は前記伝送媒体の障害の可能性を診断する診断部と、前記診断部が障害の可能性を有すると診断した前記中継機器又は前記伝送媒体が、障害を有する可能性があることを通知する通知部として動作させることを特徴とする記録媒体を提供する。発明を実施するための最良の形態
以下、図面を参照して本発明の実施形態の一例を説明する。
図１は、本実施形態に係るネットワーク１００の一例を示す。ネットワーク１００は、中継装置１１０、中継機器１２０ａ、中継機器１２０ｂ、中継機器１２０ｃ、中継機器１３０ａ、中継機器１３０ｂ、中継機器１３０ｃ、端末１４０ａ、端末１４０ｂ、端末１４０ｃ、及び管理装置１５０を備える。
中継装置１１０は、外部のネットワーク、管理装置１５０、端末１４０ａ〜ｃの間のデータ転送を中継する。中継装置１１０は、例えば、ハブ、スイッチ、ルータ、若しくはゲートウェイ等の中継機器又はこれらの組合せであってよい。
中継機器１２０ａ〜ｃは、２つの伝送媒体の間の通信を中継し、一方の伝送媒体からの通信が切断状態となった場合に他方の伝送媒体への通信を切断状態とする切断機能を有する中継機器である。中継機器１２０ａ〜ｃは、管理装置１５０からの要求に基づき切断機能の動作を解除する切断解除機能を有する。中継機器１２０ａ〜ｃは、例えばリピータやメディアコンバータ等の中継機器であってよい。
中継機器１３０ａ〜ｃは、２つの伝送媒体の間の通信を中継し、切断機能を有する中継機器である。中継機器１３０ａ〜ｃは、切断解除機能を有しない。中継機器１３０ａ〜ｃは、例えばリピータやメディアコンバータ等の中継機器であってよい。
端末１４０ａ〜ｃは、中継装置１１０を介して相互にデータを授受し、又は中継装置１１０を介して外部のネットワークとの間でデータを授受する。
ネットワーク１００は、中継装置１１０と端末１４０ａとの間の通信経路、中継装置１１０と端末１４０ｂとの間の通信経路、及び中継装置１１０と端末１４０ｃとの間の通信経路の３つの類似する通信経路（類似通信経路）を備える。
中継装置１１０と端末１４０ａとの間の通信経路は、中継機器１２０ａと中継機器１２０ｂとを直列に接続した通信経路である。中継機器１２０ａのポート０は、伝送媒体１７０ａを介して中継装置１１０に接続される。中継機器１２０ｂは、ポート０が伝送媒体１８０ａを介して中継機器１２０ａのポート１に接続され、ポート１が伝送媒体１９０ａを介して端末１４０ａに接続される。
中継装置１１０と端末１４０ｂとの間の通信経路は、中継機器１３０ａと中継機器１２０ｃとを直列に接続した通信経路である。中継機器１３０ａのポート０は、伝送媒体１７０ｂを介して中継装置１１０に接続される。中継機器１２０ｃは、ポート０が伝送媒体１８０ｂを介して中継機器１３０ａのポート１に接続され、ポート１が伝送媒体１９０ｂを介して端末１４０ｂに接続される。
中継装置１１０と端末１４０ｃとの間の通信経路は、中継機器１３０ｂと中継機器１３０ｃとを直列に接続した通信経路である。中継機器１３０ｂのポート０は、伝送媒体１７０ｃを介して中継装置１１０に接続される。中継機器１３０ｃは、ポート０が伝送媒体１８０ｃを介して中継機器１３０ｂのポート１に接続され、ポート１が伝送媒体１９０ｃを介して端末１４０ｃに接続される。
本実施形態に係る伝送媒体１７０ａ〜ｃ、伝送媒体１８０ａ〜ｃ、及び伝送媒体１９０ａ〜ｃは、説明の便宜上、例えば１００ＢＡＳＥ−ＴＸ規格等に基づく同一種類の伝送媒体であるものとする。これに代えて、伝送媒体１７０ａ〜ｃ、伝送媒体１８０ａ〜ｃ、及び伝送媒体１９０ａ〜ｃの一部又は全部は、異なる種類の伝送媒体であってもよい。すなわち、例えば伝送媒体１７０ａ〜ｃ及び伝送媒体１９０ａ〜ｃは、例えば１００ＢＡＳＥ−ＴＸ規格等に基づくＵＴＰケーブルであり、伝送媒体１８０ａ〜ｃは、例えば１００ＢＡＳＥ−ＦＸ規格等に基づく光ファイバであってもよい。
管理装置１５０は、伝送媒体１６０を介して中継装置１１０に接続され、中継機器１２０ａ〜ｃ、中継機器１３０ａ〜ｃ、及び端末１４０ａ〜ｃを管理する。管理装置１５０は、中継機器や端末等の通信装置を管理するために、当該通信装置に対して管理メッセージを送信する。本実施形態に係る管理装置１５０は、管理メッセージとして、管理装置１５０に管理される通信装置の通信状態を取得する通信状態取得メッセージ、及び中継機器１２０ａ〜ｃの切断機能の動作を解除する切断解除メッセージをサポートする。管理装置１５０は、例えばＳＮＭＰ（ＳｉｍｐｌｅＮｅｔｗｏｒｋ  Ｍａｎａｇｅｍｅｎｔ  Ｐｒｏｔｏｃｏｌ）のＳＥＴ  ＲＥＱＵＥＳＴメッセージやＧＥＴ  ＲＥＱＵＥＳＴメッセージ等を用いて、管理メッセージを実現してもよい。
図２は、本実施形態に係る中継機器１２０ａの構成を示す。ここで、本実施形態に係る中継機器１２０ｂ〜ｃ及び中継機器１３０ａ〜ｃは、中継機器１２０ａと略同様の構成を取るため、異なる点を除き説明を省略する。
中継機器１２０ａは、ＰＨＹ２００ａ、ＰＨＹ２００ｂ、中継部２１０、通信状態保持部２２０、及び中継禁止部２３０を有する。
ＰＨＹ２００ａ及びＰＨＹ２００ｂは、それぞれ伝送媒体１７０ａ又は伝送媒体１８０ａと、中継部２１０とを接続する物理層デバイス（Ｐｈｙｓｉｃａｌ  Ｌａｙｅｒ  Ｄｅｖｉｃｅ）である。ＰＨＹ２００ａ及びＰＨＹ２００ｂは、それぞれ伝送媒体１７０ａ又は伝送媒体１８０ａと、ＩＥＥＥ８０２．３に基づくＭＩＩ（Ｍｅｄｉａ  Ｉｎｄｅｐｅｎｄｅｎｔ  Ｉｎｔｅｒｆａｃｅ）との間の変換を行い、ＭＩＩを介して中継部２１０に接続される。
中継部２１０は、ＰＨＹ２００ａとＰＨＹ２００ｂの間の通信の中継を行う。また、中継部２１０は、中継禁止部２３０からの指示に基づきＰＨＹ２００ａとＰＨＹ２００ｂの間の通信を禁止する切断機能を有する。更に、中継部２１０は、ＰＨＹ２００ａから受信した中継機器１２０ａ宛の通信状態取得メッセージを受信すると、通信状態保持部２２０が保持するＰＨＹ２００ａとＰＨＹ２００ｂの動作状態、及び中継機器１２０ａの障害有無等を含む通信状態を、通信状態返信メッセージとしてＰＨＹ２００ａを介して返信する。同様に、中継部２１０は、ＰＨＹ２００ｂから受信した中継機器１２０ａ宛の通信状態取得メッセージを受信すると、中継機器１２０ａの通信状態を、通信状態返信メッセージとしてＰＨＹ２００ｂを介して返信する。ここで、本実施形態に係る中継部２１０は、ＰＨＹ２００ａとＰＨＹ２００ｂの間の通信が禁止されている場合においても、管理メッセージに対する返信メッセージの中継は禁止しないものとする。これにより、中継機器１２０ａは、中継の禁止の設定によらず、返信メッセージを管理装置１５０との間で授受することができる。
また、中継機器１２０ａ〜ｃは、ＰＨＹ２００ａを介した伝送媒体１７０ａへの送信及びＰＨＹ２００ｂを介した伝送媒体１８０ａへの送信が切断機能によって切断状態とされている場合に、管理装置１５０から受信した切断解除メッセージに基づき中継部２１０の切断機能の動作を解除する。
通信状態保持部２２０は、ＰＨＹ２００ａ及びＰＨＹ２００ｂの通信状態を示す情報、及び中継機器１２０ａ内の障害有無等を示す障害情報を取得し、中継機器１２０ａの通信状態として保持する。
中継禁止部２３０は、通信状態保持部２２０に保持された通信状態を示す情報、及び障害情報を参照し、中継部２１０を制御して伝送媒体１７０ａと伝送媒体１８０ａとの間の中継を許可又は禁止する。具体的には、中継禁止部２３０は、伝送媒体１７０ａ又は伝送媒体１８０ａからの受信が切断状態となった場合に、ＰＨＹ２００ａによる伝送媒体１７０ａへの送信、及びＰＨＹ２００ｂによる伝送媒体１８０ａへの送信を切断状態とする。ここで、ＰＨＹ２００ａは、伝送媒体１７０ａへのデータの送信、及びデータを送信しない場合におけるアイドル信号の送信を禁止して、切断状態を実現する。ＰＨＹ２００ｂは、ＰＨＹ２００ａと同様にして、伝送媒体１８０ａへの切断状態を実現する。
中継機器１３０ａ〜ｃは、切断解除機能を持たず、切断機能に関して中継機器１２０ａと異なる動作を行う。中継機器１３０ａは、伝送媒体１７０ｂからの受信が切断状態となった場合に、ＰＨＹ２００ｂによる伝送媒体１８０ｂへの送信のみを切断状態とする。また、中継機器１３０ａは、伝送媒体１８０ｂからの受信が切断状態となった場合に、ＰＨＹ２００ａによる伝送媒体１７０ｂへの送信のみを切断状態とする。中継機器１３０ｂ及び中継機器１３０ｃは、中継機器１３０ａと同様の動作を行う。
図３は、本実施形態に係る管理装置１５０の構成を示す。管理装置１５０は、送信部３００、受信部３１０、監視部３２０、中継機器情報格納部３３０、判断部３４０、診断部３５０、障害記録部３６０、及び通知部３７０を有する。
送信部３００は、管理装置１５０が生成する通信状態取得メッセージ、及び切断解除メッセージ等の管理メッセージを、伝送媒体１６０を介して中継装置１１０に送信する。
受信部３１０は、通信状態取得メッセージに対する返信メッセージである通信状態返信メッセージ、及び切断解除メッセージに対する返信メッセージである切断解除返信メッセージを、ネットワーク１００内の通信装置から受信する。
監視部３２０は、例えば定期的にｐｉｎｇメッセージを伝送媒体１７０ａ〜ｃに送信する等の方法を用いて、中継装置１１０と端末１４０ａとの間の通信経路、中継装置１１０と端末１４０ｂとの間の通信経路、及び中継装置１１０と端末１４０ｃとの間の通信経路が切断状態となったかどうかを監視する。
中継機器情報格納部３３０は、中継機器１２０ａ〜ｃ、中継機器１３０ａ〜ｃのそれぞれが、切断解除機能を有するかどうかを示す情報を含む中継機器情報を格納する。
判断部３４０は、いずれかの通信経路が切断状態となった場合に、切断状態となった通信経路上の中継機器のそれぞれが切断解除機能を有するかどうかを、中継機器情報格納部３３０が格納する中継機器情報に基づき判断する。
診断部３５０は、切断状態となった通信経路を指定する切断経路情報、及び切断状態となった通信経路上の中継機器が切断解除機能を有するかどうかを示す切断解除機能情報を、判断部３４０から受信する。次に、診断部３５０は、切断状態となった通信経路上に接続された切断解除機能を有する各中継機器の、切断解除機能の動作を順次制御して、通信経路上の中継機器及び伝送媒体の通信状態を取得する。具体的には、診断部３５０は、切断解除機能を有する１番目の中継機器に対して通信状態取得メッセージを送信する。次に、診断部３５０は、１番目の中継機器が通信状態取得メッセージに対して返信した通信状態返信メッセージを受信する。そして、診断部３５０は、受信した通信状態返信メッセージから１番目の中継機器の通信状態を取得する。
１番目の中継機器の通信状態を取得すると、診断部３５０は、受信した通信状態返信メッセージから取得した通信状態を用いて、切断状態となった通信経路上の中継機器又は伝送媒体の障害の可能性を診断する。
更に、診断部３５０は、上記処理の結果管理装置１５０と１番目の中継機器との間の通信に障害が無いと判断した場合に、１番目の中継装置に対して切断解除メッセージを送信して、１番目の中継機器の切断機能の動作を解除させる。次に、管理装置１５０は、１番目の中継機器より端末側に接続されており、切断解除機能を有する２番目の中継機器に、通信状態取得メッセージを送信する。次に、診断部３５０は、２番目の中継機器から受信した通信状態返信メッセージを用いて、切断状態となった通信経路上において１番目の中継機器と２番目の中継機器との間に位置する中継機器及び伝送媒体の障害の可能性を診断する。
以上に加え、診断部３５０は、ネットワーク１００内の通信装置又は伝送媒体の障害を検出すると、障害ログを障害記録部３６０に格納する。
障害記録部３６０は、ネットワーク１００内の通信装置及び／又は伝送媒体のそれぞれにおいて発生した障害の履歴を示す情報である障害ログを格納する。診断部３５０は、切断状態となった通信経路上の通信装置及び／又は伝送媒体の障害箇所を特定できない場合に、障害記録部３６０を参照し、切断状態となった通信経路と類似する構成を持つ類似通信経路上の通信装置及び／又は伝送媒体の障害ログを用いて障害の可能性の大小を推測する。
通知部３７０は、診断部３５０が障害の可能性を有すると診断した通信装置又は伝送媒体が、障害を有する可能性があることをネットワーク１００の管理者に通知する。通知部３７０は、通知の手段として、通信装置又は伝送媒体の障害の可能性を、管理装置１５０の表示装置上に図示する。これに加えて、通知部３７０は、通信装置又は伝送媒体の障害の可能性を、ブザー、電子メール等の手段を用いてネットワーク１００の管理者に通知してもよい。また、通知部３７０は、通信装置又は伝送媒体の障害の可能性を、中継装置１１０を介して外部のネットワークに設けた遠隔管理装置に通知してもよい。
図４は、本実施形態に係る判断部３４０が格納する中継機器情報を表形式により示す。本実施形態に係る中継機器情報は、ＩＤフィールド、機器フィールド、種別フィールド、及び接続先ＩＤフィールドを含む。
ＩＤフィールドは、ネットワーク１００内の通信装置を識別する識別子を保持する。機器フィールドは、機器の名称を保持する。種別フィールドは、機器の種類を保持する。本実施形態に係る種別フィールドは、管理装置１５０が”サーバ”、中継装置１１０が”ルータ”、切断解除機能を有する（すなわちマネジメント機能を有する）中継機器１２０ａ〜ｃが”中継機器Ｍ”、切断解除機能を有しない（すなわちマネジメント機能を有しない）中継機器１３０ａ〜ｃが”中継機器”、端末１４０ａ〜ｃが”クライアント”を保持する。接続先ＩＤフィールドは、通信装置が接続される接続先を識別する識別子を保持する。例えば、管理装置１５０に対応する接続先ＩＤ”００２−０”は、管理装置１５０が接続先ＩＤ＝００２である中継装置１１０のポート０に接続されることを示す。また、中継機器１２０ａに対応する接続先ＩＤ”ポート０：００２−１，ポート１：００４−０”は、中継機器１２０ａのポート０が接続先ＩＤ＝００２である中継装置１１０のポート１に、中継機器１２０ａのポート１が接続先ＩＤ＝００４である中継機器１２０ｂのポート０に接続されることを示す。
図５は、本実施形態に係る障害記録部３６０が格納する障害ログを表形式により示す。本実施形態に係る障害ログは、日時フィールド及び障害箇所フィールドを含む。
日時フィールドは、ネットワーク１００内の中継機器及び／又は伝送媒体のいずれかで発生した障害の発生日時を格納する。障害箇所フィールドは、対応する障害が発生した箇所を、通信装置の識別子を用いて格納する。例えば、図５の１行目は、ＩＤ＝００３である中継機器１２０ａで障害が発生したことを示す。また、図５の２行目は、ＩＤ＝００４である中継機器１２０ｂのポート１と、端末１４０ａとの間の伝送媒体で障害が発生したことを示す。
図６は、本実施形態に係るネットワーク１００における障害の診断シーケンスを、管理装置１５０が中継装置１１０と端末１４０ｂとの間の通信経路を診断する場合を例として示す。
管理装置１５０内の監視部３２０は、定期的にｐｉｎｇメッセージを端末１４０ｂに送信し、中継装置１１０と端末１４０ｂとの間の通信経路が切断状態となっているかどうかを監視する（Ｓ６００）。端末１４０ｂは、中継装置１１０と端末１４０ｂとの間の通信経路が切断状態となっていない場合、管理装置１５０から受信したｐｉｎｇメッセージに応答する（Ｓ６１０）。管理装置１５０内の監視部３２０は、端末１４０ｂからｐｉｎｇメッセージの応答を受信した場合、中継装置１１０と端末１４０ｂとの間の通信経路が切断状態となっていないと判断し、Ｓ６００に処理を進める。一方、管理装置１５０内の監視部３２０は、端末１４０ｂからｐｉｎｇメッセージの応答を受信しなかった場合、中継装置１１０と端末１４０ｂとの間の通信経路が切断状態となったと判断し、Ｓ６２０以降の処理を進める。
中継装置１１０と端末１４０ｂとの間の通信経路が切断状態である場合、管理装置１５０内の判断部３４０は、切断状態となった通信経路を指定する切断経路情報を管理装置１５０内の監視部３２０から受信する。管理装置１５０内の判断部３４０は、切断経路情報で指定された中継装置１１０と端末１４０ｂとの間の通信経路上に接続された中継機器１３０ａ及び中継機器１２０ｃが、切断解除機能を有するかどうかを、中継機器情報格納部３３０が格納する中継機器情報の種別フィールドの内容に基づき判断する。具体的には、管理装置１５０内の判断部３４０は、中継機器１３０ａ（種別フィールド＝”中継機器”）は切断解除機能を有さず、中継機器１２０ｃ（種別フィールド＝”中継機器Ｍ”）は切断解除機能を有すると判断する。次に、管理装置１５０内の診断部３５０は、切断経路情報、及び切断解除機能情報を、判断部３４０から受信する。次に、管理装置１５０内の診断部３５０は、以上の処理を経て特定された、切断解除機能を有し、通信経路上で管理装置１５０から最も近い中継機器１２０ｃに対して、通信状態取得メッセージを送信する（Ｓ６２０）。中継機器１３０ａは、管理装置１５０が送信した通信状態取得メッセージを、伝送媒体１８０ｂを介して中継機器１２０ｃに転送する。
中継機器１２０ｃは、通信状態取得メッセージを受信し、中継機器１２０ｃの通信状態を中継機器１２０ｃ内の通信状態保持部２２０及び中継禁止部２３０から取得する。そして、中継機器１２０ｃは、取得した通信状態を含む通信状態返信メッセージを生成し、管理装置１５０に対して送信する（Ｓ６２５）。管理装置１５０内の診断部３５０は、中継機器１２０ｃが送信した通信状態返信メッセージを受信し、中継装置１１０と中継機器１２０ｃとの間の通信に障害が無いと診断する。そして、管理装置１５０内の診断部３５０は、中継機器１２０ｃに対して切断解除メッセージを送信する（Ｓ６３０）。中継機器１２０ｃは、切断解除メッセージを受信すると、伝送媒体１８０ｂ及び伝送媒体１９０ｂへの送信の切断状態を解除し、切断解除返信メッセージを管理装置１５０に対して送信する（Ｓ６３５）。
次に、管理装置１５０内の診断部３５０は、切断解除返信メッセージを受信すると、端末１４０ｂに対して通信状態取得メッセージを送信する（Ｓ６４０）。中継機器１２０ｃと端末１４０ｂとの間の通信経路に障害がある場合、管理装置１５０内の診断部３５０が端末１４０ｂに対して送信した通信状態取得メッセージは、中継機器１２０ｃと端末１４０ｂとの間で消失する（Ｓ６４５）。この場合、管理装置１５０内の診断部３５０は、通信状態取得メッセージに対する返信を一定期間受信しないことを、タイムアウトにより検出する（Ｓ６５０）。
Ｓ６５０においてタイムアウトを検出すると、管理装置１５０内の診断部３５０は、伝送媒体１９０ｂ又は端末１４０ｂに障害の可能性があると診断する。更に、管理装置１５０内の診断部３５０は、伝送媒体１９０ｂ又は端末１４０ｂの障害の可能性の大小を、障害記録部３６０内の障害ログを用いて推測する（Ｓ６５５）。そして、管理装置１５０内の通知部３７０は、診断部３５０が障害の可能性を有すると診断した伝送媒体１９０ｂ及び端末１４０ｂが、障害を有する可能性があることをネットワーク１００の管理者に通知する（Ｓ６６０）。
図７は、本実施形態に係る障害箇所診断処理（図６のＳ６５５の処理）の流れを示す。
まず、管理装置１５０内の診断部３５０は、障害の可能性がある部分である障害部分を取得する（Ｓ７００）。本実施形態において、障害部分は、伝送媒体１９０ｂと端末１４０ｂであるものとする。
次に、診断部３５０は、判断部３４０内の中継機器情報を参照し、障害部分の通信経路と類似する構成を持つ類似通信経路を検索する（Ｓ７１０）。具体的には、診断部３５０は、障害部分を含む中継装置１１０と端末１４０ｂとの間の通信経路と同様に、中継機器、中継機器、端末の順に接続された構成を持つ、中継装置１１０と端末１４０ａとの間の通信経路、及び中継装置１１０と端末１４０ｃとの間の通信経路を類似通信経路と見なす。ここで、診断部３５０は、本実施形態に係る診断部３５０と異なる範囲を用いて、類似通信経路と見なす判断を行ってもよい。具体的には、診断部３５０は、例えば、障害部分である伝送媒体１９０ｂと端末１４０ｂに類似する部分を、判断部３４０内の中継機器情報を用いて検索し、類似部分として伝送媒体１９０ａと端末１４０ａ、及び伝送媒体１９０ｃと端末１４０ｃを挙げてもよい。
次に、診断部３５０は、障害記録部３６０内の障害ログを参照し、類似通信経路についての障害ログを検索する（Ｓ７２０）。そして、診断部３５０は、切断状態となった通信経路である中継装置１１０と端末１４０ｂとの間の通信経路上に有り、障害無と診断していない伝送媒体１９０ｂ及び端末１４０ｂの障害の可能性の大小を、類似通信経路上の対応する位置に接続された伝送媒体及び中継機器についての障害ログを用いて推測する。具体的には、診断部３５０は、中継機器１２０ｂと端末１４０ａとの間の伝送媒体１９０ａの障害ログ（図５の２行目）が存在することから、伝送媒体１９０ｂの障害の可能性が端末１４０ｂと比較し大きいと推測する（Ｓ７３０）。この様に、診断部３５０は、切断状態となった通信経路及び類似通信経路に含まれる通信装置及び伝送媒体の障害ログを参照し、障害頻度が高い箇所、又は直近の障害箇所等に対応する通信装置及び／又は伝送媒体の障害の可能性が大きいと推測する。
図８は、本実施形態に係る通知部３７０が表示する障害表示画面の一例を示す。表示画面８００は、中継装置オブジェクト８１０、中継機器オブジェクト８２０ａ、中継機器オブジェクト８２０ｂ、中継機器オブジェクト８２０ｃ、中継機器オブジェクト８３０ａ、中継機器オブジェクト８３０ｂ、中継機器オブジェクト８３０ｃ、端末オブジェクト８４０ａ、端末オブジェクト８４０ｂ、端末オブジェクト８４０ｃ、管理装置オブジェクト８５０、障害通信経路オブジェクト８６０、及び障害通信経路オブジェクト８７０を有する。
中継装置オブジェクト８１０は、通知部３７０が中継装置１１０を表示画面８００上に図示した図形である。中継機器オブジェクト８２０ａ〜ｃは、通知部３７０がそれぞれ中継機器１２０ａ〜ｃを表示画面８００上に図示した図形である。中継機器オブジェクト８３０ａ〜ｃは、通知部３７０がそれぞれ中継機器１３０ａ〜ｃを表示画面８００上に図示した図形である。端末オブジェクト８４０ａ〜ｃは、通知部３７０がそれぞれ端末１４０ａ〜ｃを表示画面８００上に図示した図形である。管理装置オブジェクト８５０は、通知部３７０が管理装置１５０を表示画面８００上に図示した図形である。
通知部３７０は、中継装置オブジェクト８１０、中継機器オブジェクト８２０ａ〜ｃ、中継機器オブジェクト８３０ａ〜ｃ、端末オブジェクト８４０ａ〜ｃ、及び管理装置オブジェクト８５０の内部に、中継機器情報格納部３３０内の中継機器情報におけるＩＤフィールド及び種別フィールドの対応するデータを表示する。また、通知部３７０は、中継機器情報格納部３３０内の中継機器情報における接続先ＩＤフィールドのデータに基づき、中継装置オブジェクト８１０、中継機器オブジェクト８２０ａ〜ｃ、中継機器オブジェクト８３０ａ〜ｃ、端末オブジェクト８４０ａ〜ｃ、及び管理装置オブジェクト８５０の接続関係を図示する。
障害通信経路オブジェクト８６０及び障害通信経路オブジェクト８７０は、障害の可能性がある通信装置及び伝送媒体を示す。本実施形態に係る表示画面８００は、伝送媒体１９０ｂと端末１４０ｂ、及び中継装置１１０と端末１４０ｃとの間の通信経路に障害の可能性があることを、それぞれ障害通信経路オブジェクト８６０及び障害通信経路オブジェクト８７０を用いて図示する。また、通知部３７０は、障害部分に含まれる通信装置及び伝送媒体についての障害の可能性の大小を診断部３５０から受信し、障害の可能性が大きいか、障害の可能性が小さいか、又は障害が無いかを識別可能に図示する。具体的には、診断部３５０は、障害記録部３６０内の障害ログを参照し、中継装置１１０と端末１４０ｂとを接続する通信経路においては伝送媒体１９０ｂの障害の可能性が大きく、端末１４０ｂの障害の可能性が小さいと判断する。これに基づき、通知部３７０は、伝送媒体１９０ｂの障害の可能性が大きいことを”▲１▼”と図示し、端末１４０ｂの障害の可能性が次に大きいことを”▲２▼”と図示して識別可能とする。同様に、診断部３５０は、障害記録部３６０内の障害ログを参照し、中継装置１１０と端末１４０ｃとを接続する通信経路においては伝送媒体１７０ｃと伝送媒体１９０ｃの障害の可能性が大きく、他の通信装置及び伝送媒体の障害の可能性が小さいと判断する。これに基づき、通知部３７０は、伝送媒体１７０ｃと伝送媒体１９０ｃの障害の可能性が大きいことを”▲１▼”と図示して識別可能とする。
以上に示した通り、本実施形態に係る管理装置１５０によれば、ネットワーク１００内の通信経路が切断状態となった場合に、切断状態となった通信経路上の中継機器の切断解除機能を順次制御して、通信経路上の中継機器又は伝送媒体等の障害の可能性を診断することができる。更に、本実施形態に係る管理装置１５０によれば、障害の可能性がある複数の中継装置又は伝送媒体についての障害の可能性の大小を、切断状態となった通信経路と類似する構成を持つ類似通信経路に関する障害ログに基づき推測できる。そして、ネットワーク１００の管理者は、管理装置１５０の障害表示画面を見て、障害の可能性が大きいと推測された中継装置又は伝送媒体を知ることができ、障害の可能性が大きい部分の点検をまず行うことによって管理作業の手間を省くことができる。
図９は、本実施形態に係る管理装置１５０のハードウェア構成の一例を示す。本実施形態に係る管理装置１５０の機能は、ＣＰＵ９１０、ＲＯＭ９２０、ＲＡＭ９３０、通信インターフェイス９４０、ハードディスクドライブ９５０、入力装置９７３、及び表示装置９７６を備える計算機９００と、計算機９００上で実行されるプログラムとの連携により実現される。計算機９００は、フロッピーディスクドライブ９６０及び／又はＣＤ−ＲＯＭドライブ９７０を更に備えてもよい。
管理装置１５０を実現するプログラムは、送信モジュールと、受信モジュールと、監視モジュールと、中継機器情報格納モジュールと、判断モジュールと、診断モジュールと、障害記録モジュールと、通知モジュールとを備える。これらのモジュールは、計算機９００を、送信部３００、受信部３１０、監視部３２０、中継機器情報格納部３３０、判断部３４０、診断部３５０、障害記録部３６０、通知部３７０として動作させるプログラムである。
以上に示したプログラム又はモジュールは、外部の記憶媒体に格納されてもよい。記憶媒体としては、フロッピーディスク９８０、ＣＤ−ＲＯＭ９９０の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、計算機９００に接続されたネットワーク等を介してプログラムを計算機９００に提供してもよい。
以上発明の実施の形態を説明したが、本出願に係る発明の技術的範囲は上記の実施の形態に限定されるものではない。上記実施の形態に種々の変更を加えて、特許請求の範囲に記載の発明を実施することができる。そのような発明が本出願に係る発明の技術的範囲に属することもまた、特許請求の範囲の記載から明らかである。
産業上の利用可能性
以上の説明から明らかなように、本発明によれば、多数の中継装置からなるネットワークを、管理作業の手間を省き、低い管理コストで管理可能とすることができる。
【図面の簡単な説明】
図１は、本発明の実施形態に係るネットワーク１００の一例を示す。
図２は、本発明の実施形態に係る中継機器１２０ａの構成を示す。
図３は、本発明の実施形態に係る管理装置１５０の構成を示す。
図４は、本発明の実施形態に係る判断部３４０が格納する中継機器情報を表形式により示す。
図５は、本発明の実施形態に係る障害記録部３６０が格納する障害ログを表形式により示す。
図６は、本発明の実施形態に係るネットワーク１００における障害の診断シーケンスの一例を示す。
図７は、本発明の実施形態に係る障害箇所診断処理の流れを示す。
図８は、本発明の実施形態に係る通知部３７０が表示する障害表示画面の一例を示す。
図９は、本発明の実施形態に係る管理装置１５０のハードウェア構成の一例を示す。
図面に用いた主な符号の凡例を以下に示す。
１００  ネットワーク
１１０  中継装置
１２０ａ〜ｃ  中継機器
１３０ａ〜ｃ  中継機器
１４０ａ〜ｃ  端末
１５０  管理装置
１６０  伝送媒体
１７０ａ〜ｃ  伝送媒体
１８０ａ〜ｃ  伝送媒体
１９０ａ〜ｃ  伝送媒体
２００ａ〜ｂ  ＰＨＹ
２１０  中継部
２２０  通信状態保持部
２３０  中継禁止部
３００  送信部
３１０  受信部
３２０  監視部
３３０  中継機器情報格納部
３４０  判断部
３５０  診断部
３６０  障害記録部
３７０  通知部
８００  表示画面
８１０  中継装置オブジェクト
８２０ａ〜ｃ  中継機器オブジェクト
８３０ａ〜ｃ  中継機器オブジェクト
８４０ａ〜ｃ  端末オブジェクト
８５０  管理装置オブジェクト
８６０  障害通信経路オブジェクト
８７０  障害通信経路オブジェクト
９００  計算機
９１０  ＣＰＵ
９２０  ＲＯＭ
９３０  ＲＡＭ
９４０  通信インターフェイス
９５０  ハードディスクドライブ
９６０  フロッピーディスクドライブ
９７０  ＣＤ−ＲＯＭドライブ
９７３  入力装置
９７６  表示装置
９８０  フロッピーディスク
９９０  ＣＤ−ＲＯＭ
【図１】
2003055145.tif 000003
【図２】
2003055145.tif 000004
【図３】
2003055145.tif 000005
【図４】
2003055145.tif 000006
【図５】
2003055145.tif 000007
【図６】
2003055145.tif 000008
【図７】
2003055145.tif 000009
【図８】
2003055145.tif 000010
【図９】
2003055145.tif 000011
【手続補正書】
【提出日】平成16年1月30日(2004.1.30)
【手続補正１】
【補正対象書類名】特許請求の範囲
【補正対象項目名】請求項３
【補正方法】変更
【補正の内容】
【請求項３】
前記通信経路には、前記切断解除機能を有する第１の前記中継機器及び第２の前記中継機器を含む前記中継機器が接続されており、
前記診断部は、
前記第１の中継機器に対して前記通信状態取得メッセージを送信して、前記第１の中継機器の通信状態を取得し、
前記管理装置と前記第１の中継機器との間の通信に障害が無い場合に、前記第１の中継機器の前記切断機能の動作を解除させ、前記第１の中継機器を介して前記第２の中継機器に前記通信状態取得メッセージを送信し、前記通信経路において前記第１の中継機器と前記第２の中継機器との間に位置する前記中継機器又は前記伝送媒体の障害の可能性を、当該通信状態取得メッセージの返信メッセージを用いて診断することを特徴とする請求項２記載の管理装置。
【手続補正２】
【補正対象書類名】特許請求の範囲
【補正対象項目名】請求項７
【補正方法】変更
【補正の内容】
【請求項７】
前記管理装置は、前記ネットワークが備える複数の前記中継機器のそれぞれにおいて発生した障害の履歴を示す情報である障害ログを格納する障害記録部を更に有し、
前記診断部は、切断状態となった前記通信経路上にあり、障害無と診断していない前記伝送媒体の障害の可能性の大小を、前記ネットワークにおいて切断状態となった前記通信経路と類似する構成を持つ類似通信経路の障害ログを用いて推測することを特徴とする請求項１記載の管理装置。
【国際調査報告】
2003055145.tif 000012
2003055145.tif 000013
2003055145.tif 000014